(57)【要約】【課題】動物捕獲時に苦痛を与えず、動物の捕獲確率の向上を実現させる安全性の高い動物捕獲機を提供する。【解決手段】本考案を適用した動物捕獲機１は、野生動物を捕獲するためのものであり、動物の足７を捉える捕獲部材２と、捕獲部材２の上方に連続して設けられる筒状部材３とを備え、捕獲部材２は、動物の足７が挿通される挿通部２１と、挿通部２１の下方に設けられる板材２２と、挿通部２１及び板材２２の一部が連結されるとともに、伸縮する素材で構成される伸縮部材２３とを有し、筒状部材３は、下端側に形成される下端側開口部３１と、上端側に形成される上端側開口部３２とを有して、下端側開口部３１が挿通部２１に連続して設けられるとともに、上端側開口部３２が下端側開口部３１よりも拡径させて形成されることを特徴とする。【選択図】図４
0003205208.tif 000002
【実用新案登録請求の範囲】
【請求項１】
野生動物を捕獲するための動物捕獲機であって、
動物の足を捉える捕獲部材と、前記捕獲部材の上方に連続して設けられる筒状部材とを備え、
前記捕獲部材は、動物の足が挿通される筒状の挿通部と、前記挿通部の下方に設けられる板材と、前記挿通部及び前記板材の一部が連結されるとともに、伸縮する素材で構成される伸縮部材とを有し、前記板材が前記伸縮部材の伸縮力に基づいて開閉され、
前記筒状部材は、下端側に形成される下端側開口部と、上端側に形成される上端側開口部とを有して、前記下端側開口部が前記挿通部に連続して設けられるとともに、前記上端側開口部が前記下端側開口部よりも拡径させて形成されること
を特徴とする動物捕獲機。
【考案の詳細な説明】
【技術分野】
【０００１】
本考案は、野生動物を捕獲するための動物捕獲機に関する。
【背景技術】
【０００２】
従来から、一対の挟圧部材の開口状態に置いて、動物が踏板部材上に乗り上がると、係止部材の先端部はラッチ部から離脱し、この離脱により一対の挟圧部材は板バネ部材のバネ圧力により瞬時に閉口動作し、一対の挟圧部材の対向面間の挟圧部で動物の足が挟圧され、これにより野生動物を捕獲するための動物捕獲具を提供することを目的として、例えば、特許文献１の開示技術が提案されている。
【０００３】
特許文献１に開示された動物捕獲具は、立木、切株等に連結される基板部材に対向面間を挟圧部とする一対の半円弧状の挟圧部材を開閉自在に設け、一対の挟圧部材を閉口挟圧動作させる略Ｕ状の板バネ部材を設け、基板部材に踏板部材を設け、踏板部材にラッチ部を設け、基板部材にラッチ部に係脱可能な係止部材を設けてなり、挟圧部となる一対の挟圧部材の対向面間に間隙部を形成可能な間隙形成部を設けてなるものである。
【先行技術文献】
【特許文献】
【０００４】
【特許文献１】実用新案登録第３１１４１６０号公報
【考案の概要】
【考案が解決しようとする課題】
【０００５】
しかし、特許文献１に開示された動物捕獲具は、踏板部材上に乗り上がると、一対の挟圧部材の対向面間の挟圧部で動物の足が挟圧されるものである。このため、特許文献１に開示された動物捕獲具は、踏板部材上に乗り上げたとしても、動物の足が踏板上の所定の場所に置かれない場合には、動物の足が挟圧されず、動物を逃すという問題点があった。
【０００６】
また、特許文献１に開示された動物捕獲具は、踏板部材上に乗り上がることで、はじめて動物を捕獲するための挟圧部材の閉口動作が開始するものである。このため、特許文献１に開示された動物捕獲具は、限られた大きさである踏板部材上に動物が乗り上がらなければ効果を発揮しないという問題点があった。
【０００７】
また、特許文献１に開示された動物捕獲具は、一対の挟圧部材が板バネ部材のバネ圧力により瞬時に閉口動作し、一対の挟圧部材の対向面間の挟圧部で動物の足が挟圧されるものである。このため、特許文献１に開示された動物捕獲具は、動物が罠に掛かった場合に長時間にわたる苦痛を与える他、人間が誤って罠に掛かった場合に重傷を負うという問題点があった。
【０００８】
そこで、本考案は、上述した問題点に鑑みて案出されたものであり、その目的とするところは、動物捕獲時に苦痛を与えず、動物の捕獲確率の向上を実現させる安全性の高い動物捕獲機を提供することにある。
【課題を解決するための手段】
【０００９】
第１考案に係る動物捕獲機は、野生動物を捕獲するための動物捕獲機であって、動物の足を捉える捕獲部材と、前記捕獲部材の上方に連続して設けられる筒状部材とを備え、前記捕獲部材は、動物の足が挿通される筒状の挿通部と、前記挿通部の下方に設けられる板材と、前記挿通部及び前記板材の一部が連結されるとともに、伸縮する素材で構成される伸縮部材とを有し、前記板材が前記伸縮部材の伸縮力に基づいて開閉され、前記筒状部材は、下端側に形成される下端側開口部と、上端側に形成される上端側開口部とを有して、前記下端側開口部が前記挿通部に連続して設けられるとともに、前記上端側開口部が前記下端側開口部よりも拡径させて形成されることを特徴とする。
【考案の効果】
【００１０】
第１考案によれば、伸縮部材に作用する伸縮力に基づいて、板材が元の位置に戻ろうとするため、動物の足が挿通部と板材とに挟まれるものとなり、その結果、動物を捕獲することが可能となる。また、第１考案によれば、動物の足が挿通部と板材とに挟まれており、板材には上方に向けて戻ろうとする力が作用するため、挿通部に挿通された動物の足を上方に向けて引き抜こうとしたとしても、挿通部と板材とに一層挟み込まれることとなり、動物の足が挿通部から引き抜かれるのを防止することが可能となり、その結果、捕獲した動物が逃げるのを防止することが可能となり、捕獲確率を向上させることができる。
【００１１】
また、第１考案によれば、板材を人間の手で下方に向けて押すことにより、挿通部に挿通された動物の足を容易に取り出すことが可能となる。このため、動物捕獲機１は、捕獲した動物や誤ってかかってしまった人間に対して、怪我を負わせることなく、容易に取り外すことが可能となり、安全性を高くすることが可能となる。
【００１２】
また、第１考案によれば、筒状部材の下端側開口部が挿通部に連続して設けられるとともに、上端側開口部が下端側開口部よりも拡径させて形成されることによって、動物の足が筒状部材に踏み入れられたときに、動物の足を挿通部へと誘導しやすくするものである。これにより、本考案を適用した動物捕獲器は、動物の足を弁状部材に挿通させやすくでき、捕獲確率の向上を実現することが可能となる。
【図面の簡単な説明】
【００１３】
【図１】本考案を適用した動物捕獲機を示す斜視図である。
【図２】本考案を適用した動物捕獲機の捕獲部材を示す平面図であり、（ｂ）は、その断面図であり、（ｃ）は、板材を開いた状態を示す断面図である。
【図３】（ａ）は、本考案を適用した動物捕獲機の第１実施形態の筒状部材を示す平面図であり、（ｂ）は、その正面図である。
【図４】本考案を適用した動物捕獲機において、動物の足が捕捉される状態を示す断面図である。
【図５】（ａ）は、本考案を適用した動物捕獲機において、他の形態を示す断面図であり、（ｂ）は、その平面図である。
【考案を実施するための形態】
【００１４】
以下、本考案を適用した動物捕獲機１を実施するための形態について、図面を参照しながら詳細に説明する。
【００１５】
本考案を適用した動物捕獲機１は、図１に示すように、主として、イノシシ、イタチ及びシカ等の中小型の野生動物を、罠を仕掛けることにより捕獲するために用いられる。本考案を適用した動物捕獲機１は、例えば、山中、森等の地中に埋め込まれて用いられる。
【００１６】
野生動物とは、これに限らず、クマ等の大型の野生動物や鳥類も含む。
【００１７】
本考案を適用した動物捕獲機１は、動物の足を捉える捕獲部材２と、捕獲部材２の上方に連続して設けられる筒状部材３と、筒状部材３の内面に形成される平滑面部４とを備える。
【００１８】
捕獲部材２は、図２（ａ）に示すように、動物の足が挿通される筒状の挿通部２１と、挿通部２１の内側２９に設けられる板材２２と、挿通部２１及び板材２２の一部が連結される伸縮部材２３とを有する。
【００１９】
挿通部２１は、プラスチックで構成される。挿通部２１は、平面視で円環状に形成される。挿通部２１は、内面２１ａと外面２１ｂとが貫通される孔２１ｃが１箇所に形成される。なお、この孔２１ｃは、複数形成されるものであってもよい。なお、挿通部２１の材質は、プラスチックを例示したが、この他には例えば、鋼材で構成されてもよく、その材質に限定されない。
【００２０】
板材２２は、ゴムで構成される。板材２２は、平面視で円形状に形成されるとともに、周縁部付近に上下方向に向けて貫通される孔２２ａが１箇所に形成される。なお、この孔２２ａは、複数形成されるものであってもよい。板材２２は、挿通部２１の内側２９の下方に設けられ、上面が挿通部２１の下端に当接されている。板材２２の外径は、挿通部２１の外径と略同一に形成される。
【００２１】
伸縮部材２３は、ゴムで構成され、ひも状に形成される。伸縮部材２３は、図２（ｂ）に示すように、挿通部２１の孔２１ｃと、板材２２の孔２２ａとに貫通され、引張力が作用した状態で両端が挿通部２１の外側で結ばれることにより、挿通部２１及び板材２２の一部が連結される。このように構成されることで、図２（ｃ）に示すように、板材２２が伸縮部材２３の伸縮力に基づいて、図中矢印Ｒ方向に向けて開閉されるものとなる。なお、この伸縮部材２３は、引張力が作用することなく、両端が挿通部２１の外側で結ばれることで、挿通部２１及び板材２２の周縁部付近が連結されるものであってもよい。かかる構成においても、板材２２が伸縮部材２３の伸縮力に基づいて、図中矢印Ｒ方向に向けて開閉されるものとなる。なお、伸縮部材２３は、弾性体であれば、如何なるものが用いられてもよい。
【００２２】
筒状部材３は、下端側に形成される下端側開口部３１と、上端側に形成される上端側開口部３２とを有する。
【００２３】
筒状部材３は、円筒状に形成されるプラスチックで構成される。筒状部材３は、下端側開口部３１と挿通部２１とが一体成型されることで、下端側開口部３１が挿通部２１に連続して設けられる。なお、筒状部材３は、挿通部２１と一体成型されることなく別の部材として構成され、挿通部２１に連続して設けられるものであってもよい。なお、筒状部材３の材質は、プラスチックを例示したが、この他には例えば、鋼材で構成されてもよく、その材質に限定されない。
【００２４】
筒状部材３は、上端側開口部３２が下端側開口部３１よりも拡径させて形成される。筒状部材３は、図３（ｂ）に示すように、円錐台形状に形成される。筒状部材３は、円錐台形状に限らず、半球台形状に形成されるものであってもよい。下端側開口部３１は、直径約５ｃｍ〜２０ｃｍの円形状となる。また、上端側開口部３２は、直径約１０ｃｍ〜３０ｃｍの円形状となる。
【００２５】
平滑面部４は、図３（ｂ）に示すように、筒状部材３の内面に形成され、上端側開口部３２から下端側開口部３１へ向けて径が小さくなるように傾斜して形成される。平滑面部４は、凹凸のない略平滑状に形成される。
【００２６】
本考案を適用した動物捕獲機１は、図４に示すように、動物の足７が筒状部材３の上端側開口部３２から平滑面部４に踏み入れられ、捕獲部材２の挿通部２１を挿通するものとなる。動物捕獲機１は、動物の足７が挿通部２１の内側２９に挿通されたとき、板材２２が伸縮部材２３に基づいて、図中矢印Ｒ方向の下方に向けて開閉するものとなる。
【００２７】
このとき、動物捕獲機１は、伸縮部材２３に作用する伸縮力に基づいて、板材２２が元の位置に戻ろうとするため、動物の足７が挿通部２１と板材２２とに挟まれるものとなり、その結果、動物を捕獲することが可能となる。また、動物捕獲機１は、動物の足７が挿通部２１と板材２２とに挟まれており、板材２２には図中矢印Ｒ方向の上方に向けて戻ろうとする力が作用するため、挿通部２１に挿通された動物の足７を上方に向けて引き抜こうとしたとしても、動物の足７が挿通部２１と板材２２とに一層挟み込まれることとなり、挿通部２１から引き抜かれるのを防止することが可能となる。その結果、捕獲した動物が逃げるのを防止することが可能となる。
【００２８】
動物捕獲機１は、板材２２を人間の手で図中矢印Ｒ方向の下方に向けて押すことにより、挿通部２１に挿通された動物の足７を容易に取り出すことが可能となる。このように、動物捕獲機１は、挿通部２１に挿通された動物の足７を上方に向けて引き抜こうとするだけでは、動物が逃げることができないものとしながら、動物が捕獲されたときや、万が一に人間の足が誤って罠に掛かったときには、板材２２を図中矢印Ｒ方向の下方に向けて押すことで、動物や誤って罠に掛かってしまった人間の足等を容易に取り外すことができる。このため、動物捕獲機１は、捕獲した動物や誤ってかかってしまった人間に対して、怪我を負わせることなく、容易に取り外すことが可能となる。
【００２９】
本考案を適用した動物捕獲機１は、筒状部材３の下端側開口部３１が挿通部２１に連続して設けられるとともに、上端側開口部３２が下端側開口部３１よりも拡径させて形成されることによって、動物の足７が筒状部材３に踏み入れられたときに、動物の足７を挿通部２１へと誘導しやすくするものである。これにより、動物捕獲機１は、動物の足７を捕獲部材２に挿通させやすくでき、捕獲確率の向上を実現することが可能となる。
【００３０】
本考案を適用した動物捕獲機１は、平滑面部４が筒状部材３の内面に形成され、上端側開口部３２から下端側開口部３１へ向けて径が小さくなるように傾斜し、略平滑状に形成されることによって、動物の足７が平滑面部４に踏み入れられたときに、筒状部材３の下端側開口部３１に連続して設けられる挿通部２１へ向けて動物の足７を滑らせることができるものである。これにより、本考案を適用した動物捕獲機１は、動物の足７を捕獲部材２に挿通させやすくでき、捕獲確率の向上を実現することが可能となる。
【００３１】
次に、本考案に係る動物捕獲機１の他の形態について説明する。なお、前述した動物捕獲機１と同一構成、部材は同一の符号を付すことにより、以下での説明は省略する。
【００３２】
図５（ａ）は、本考案を適用した動物捕獲機１の他の形態を示す断面図であり、図５（ｂ）は、その平面図である。
【００３３】
この動物捕獲機１は、動物の足を捉える捕獲部材２と、捕獲部材２の上方に連続して設けられる筒状部材３と、筒状部材３の内面に形成される平滑面部４と、筒状部材３の上方に連続して設けられる誘導部材６とを備える。
【００３４】
誘導部材６は、下端側に形成される下端側開口部６１と、上端側に形成される上端側開口部６２と、下端側開口部６１が形成されるとともに、平滑状に形成される傾斜面材６４とを有する。
【００３５】
誘導部材６は、平面視で矩形状に形成される傾斜面材６４の周縁部に、平面視でコの字に形成された板材が設けられる。誘導部材６は、下端側開口部６１が傾斜面材６４に２か所に形成され、上端側開口部６２が平面視でコの字状に形成される。
【００３６】
誘導部材６の下端側開口部６１は、平面視で円形状に形成され、筒状部材３の上端側開口部３２に連続して設けられている。
【００３７】
動物捕獲機１は、動物が上端側開口部６２から傾斜面材６４に立ち入ったとき、傾斜面材６４が傾斜して形成されるとともに、下端側開口部６１が傾斜面材６４に形成されることによって、動物の足を誘導部材６の下端側開口部６１まで誘導させやすくすることが可能となる。このため、動物捕獲機１は、誘導部材６の下端側開口部６１の下方に設けられた捕獲部材２の挿通部２１に動物の足を挿通させることで、動物を捕獲することが可能となる。このとき、動物捕獲機１は、誘導部材６の下端側開口部６１が傾斜面材６４に２か所に形成されるため、動物の両足が誘導部材６の下端側開口部６１に貫通されるものとなり、捕獲部材２により捕捉した動物が一層逃げにくくすることが可能となる。
【００３８】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【符号の説明】
【００３９】
１      ：動物捕獲機
２      ：捕獲部材
３      ：筒状部材
４      ：平滑面部
７      ：足
２１    ：挿通部
２１ａ  ：内面
２１ｂ  ：外面
２１ｃ  ：孔
２２    ：板材
２２ａ  ：孔
２３    ：伸縮部材
２９    ：内側
３１    ：下端側開口部
３２    ：上端側開口部
【図１】
0003205208.tif 000003
【図２】
0003205208.tif 000004
【図３】
0003205208.tif 000005
【図４】
0003205208.tif 000006
【図５】
0003205208.tif 000007